(57)【特許請求の範囲】
【請求項１】
ヘッドボックス(１０)の一端部に設けられる操作部(１４)と、ヘッドボックス（１０）内に回転可能に支持されると共に、操作部（１４）により回転操作可能な回転軸（１２）と、ヘッドボックス（１０）から垂下されると共に回転軸（１２）の回転に連動して傾動する複数のラダーコード（１８）と、ラダーコード（１８）に整列状態に支持される多数のスラット（２０）と、を備えたブラインドにおいて、
ヘッドボックス（１０）の一端部には操作部（１４）を収容する操作ケース（２８）が設けられ、操作部（１４）は、回転軸（１２）の一端部に一体回転するように連結される外歯車（３０）と、回転軸（１２）の軸心からオフセットされた支持位置で回転自在に支持される操作ダイヤル（３２）と、を有し、操作ダイヤル（３２）の内周には内歯（３２ａ）が形成されており、操作ダイヤル（３２）は内歯（３２ａ）を介して外歯車（３０）に操作ダイヤル（３２）と同方向の回転を伝達可能であり、操作ダイヤル（３２）の一部は操作ケース（２８）から突出して露出し、外部から操作ダイヤル（３２）を回転操作可能である、ことを特徴とするブラインド。
【請求項２】
操作ダイヤル（３２）は、操作ケース（２８）における、回転軸（１２）を中心としてブラインドの前後に対称的に少なくとも２箇所設けられた支持位置のいずれかで支持可能となっており、選択された支持位置に応じて操作ダイヤルの一部が操作ケースの前面及び後面のどちらか一方から露出する、ことを特徴とする請求項１記載のブラインド。
【発明の詳細な説明】
【技術分野】
【０００１】
本発明は、操作ダイヤルによってスラットを回転操作可能なブラインドに関する。
【背景技術】
【０００２】
この種のブラインドとしては、特許文献１に示されるものが知られている。
【０００３】
これに示されるブラインドは、ラダーコード回転用のドラムを内蔵したヘッドボックスと、ヘッドボックスの長尺方向と平行な回転中心軸をもつ操作ダイヤルと、この操作ダイヤルを収納する第１の収納空所、及びこの操作ダイヤルとドラムを連結する軸を収納する第２の収納空所を有し、かつヘッドボックスの長尺方向端部に嵌挿組み付けできるように設けられた操作ケースとを備え、操作ケースには前面及び後面に開口が設けられ、当該前面及び後面の開口を介して第１の収納空所に収納される操作ダイヤルを操作可能としたものである。
【０００４】
これにより、ヘッドボックスに組み付ける操作ケースの前面と後面の形状を同じとすることができるので、操作ケースをヘッドボックスの右側端部あるいは左側端部のいずれにも組み付けることができ、ブラインドの操作位置が左右のどちら側であっても部品の共有ができるようにしている。
【先行技術文献】
【特許文献】
【０００５】
【特許文献１】実公平７−３４１５１号公報
【発明の概要】
【発明が解決しようとする課題】
【０００６】
特許文献１記載のブラインドのように、操作ダイヤルの一部が開口から露出するようになっている場合、露出度合いが制限されるため、操作がし難いという問題がある。操作ダイヤルの露出度合いが大きくなれば、それだけ操作が容易になるものの、徒に操作ダイヤルの径方向寸法を大きくしても、操作ケース内での収まりが困難になる。
【０００７】
そのため、操作ケースの開口の左右に凹部を形成して、操作ダイヤルの径方向寸法を変えずに相対的に露出度合いを大きくさせることも考えられるが、凹部を形成することにより、凹部のスペース分だけ操作ケースに左右の幅が必要となり、ブラインド幅に影響を与えることになる。つまり、凹部として、操作ダイヤルの左右両側に操作者の指が干渉しない程度のスペースを必要とするため、その分だけ操作部の幅が広くなり、特にブラインド幅が小さいブラインドには適さない。
【０００８】
また、操作ダイヤルの回転は回転軸に１：１で伝達されるため、スラットを回転させるために必要な回転量が多くなるという問題がある。
【０００９】
本発明はこのような課題を解決するためのものであり、操作ケースを小型に維持しつつ、操作ダイヤルの操作を行い易くすることができるブラインドを提供することをその目的とする。
【課題を解決するための手段】
【００１０】
前述した目的を達成するために、請求項１記載の発明は、ヘッドボックスの一端部に設けられる操作部と、ヘッドボックス内に回転可能に支持されると共に、操作部により回転操作可能な回転軸と、ヘッドボックスから垂下されると共に回転軸の回転に連動して傾動する複数のラダーコードと、ラダーコードに整列状態に支持される多数のスラットと、を備えたブラインドにおいて、
ヘッドボックスの一端部には操作部を収容する操作ケースが設けられ、操作部は、回転軸の一端部に一体回転するように連結される外歯車と、回転軸の軸心からオフセットされた支持位置で回転自在に支持される操作ダイヤルと、を有し、操作ダイヤルの内周には内歯が形成されており、操作ダイヤルは内歯を介して外歯車に操作ダイヤルと同方向の回転を伝達可能であり、操作ダイヤルの一部は操作ケースから突出して露出し、外部から操作ダイヤルを回転操作可能である、ことを特徴とする。
【００１１】
請求項２記載の発明は、請求項１記載のブラインドにおいて、操作ダイヤルは、操作ケースにおける、回転軸を中心としてブラインドの前後に対称的に少なくとも２箇所設けられた支持位置のいずれかで支持可能となっており、選択された支持位置に応じて操作ダイヤルの一部が操作ケースの前面及び後面のどちらか一方から露出する、ことを特徴とする。
【発明の効果】
【００１２】
本発明によれば、操作ダイヤルの軸心を回転軸の軸心からオフセットさせることによって、操作ダイヤルが操作ケース内において回転軸の軸心よりも偏って配置されるので、操作ダイヤルの一部を操作ケースから突出して露出させることができる。これにより、操作ダイヤルの操作ケースからの露出度合いを大きくすることができるために、操作ケースを小型に維持しつつ、操作ダイヤルの操作をし易いものとすることができる。
【００１３】
さらに、操作ダイヤルの内歯から外歯車に回転を伝達するようにしたため、両者に回転差が生まれ、少ない操作量でスラットを回転操作することができる。
【００１４】
また、選択した支持位置に応じて、操作ダイヤルを操作ケースの前面及び後面のどちらか一方から露出させることができるので、操作ダイヤルを右操作にする場合にも左操作にする場合にも対応でき、左右部品の共有化や操作位置の左右切換にも対応することができる。
【図面の簡単な説明】
【００１５】
【図１】右操作用に構成されたブラインドの正面図である。
【図２】右操作用として操作ケースに操作部を収容した状態を表す断面図である。
【図３】図２のＡ−Ａ線に沿って見た部分断面図である。
【図４】右操作用に操作ケースに操作部を収容した状態を表す斜視図である。
【図５】右操作用に構成された操作部及び操作ケースの分解斜視図である。
【図６】左操作用に構成されたブラインドの正面図である。
【図７】左操作用として操作ケースに操作部を収容した状態を表す断面図である。
【図８】左操作用に構成された操作部及び操作ケースの分解斜視図である。
【発明を実施するための形態】
【００１６】
以下、図面を用いて本発明の実施形態を説明する。
【００１７】
図１ないし図５は、右操作用に構成された本発明によるブラインドを表しており、ヘッドボックス１０の図１中右側端部に操作部１４が設けられている。
【００１８】
操作部１４は、ヘッドボックス１０の右側端部に設けられる操作ケース２８内に収容されており、ヘッドボックス１０内でその長手方向に延びて回転可能に支持される回転軸１２の一端部に連結され、回転軸１２を回転操作可能となっている。
【００１９】
回転軸１２は、ヘッドボックス１０内で回転可能に並設支持される２つのドラム１６を一体に回転するように貫通している。各ドラム１６には、ラダーコード１８の上端が巻取り及び巻解き可能に連結されている。ラダーコード１８は、ヘッドボックス１０から垂下されて、多数のスラット２０を整列状態に支持しており、回転軸１２と一体に回転するドラム１６の回転に連動して傾動し、スラット２０を回動させるようになっている。また、ヘッドボックス１０の各ラダーコード１８の垂下位置からは、それぞれ昇降コード２２の一端が垂下し、スラット２０列の下端に配設されるボトムレール２４に、これを昇降可能に連結されており、昇降コード２２の他端は、ヘッドボックス１０内を配回されて、ヘッドボックス１０に配設されるストッパ２６を介してヘッドボックス１０の左側端部から外部に垂下されている。
【００２０】
次に、操作部１４及び操作ケース２８について詳述する。
【００２１】
操作部１４は、回転軸１２の一端部に一体回転するように連結される外歯車３０と、操作ケース２８の前面に設けられる開口部２８ａから一部が露出され、外部から回転操作可能な操作ダイヤル３２と、バネ３４と、から構成される。
【００２２】
外歯車３０は、その外周面に外歯３０ｃが形成された本体３０ａと、本体３０ａからヘッドボックス１０の方に向かって延びる複数の支持片３０ｂと、を有している。本体３０ａの内側は、回転軸１２の非円形断面形状と一致した非円形断面形状の貫通孔となっており、回転軸１２が挿通して回転軸１２と外歯車３０とが一体回転するようになっている。各支持片３０ｂは、その断面が円弧状となっており、支持片３０ｂの自由端は外径方向に膨らんだ係合爪３０ｄとなっている。本体３０ａの反ヘッドボックス１０側の中央部には、凸部３０ｅが形成される。
【００２３】
操作ダイヤル３２は、外歯車３０よりも大径で、一端が閉塞された円筒形状をなしており、その外周面には回転操作をし易いようにローレットが刻設されており、その内周面には前記外歯車３０の外歯３０ｃと噛み合う内歯３２ａが形成されている。また、閉塞面の内側中心部からヘッドボックス１０の方に向かって支持軸３２ｂが突出し、閉塞面の外側中心部から支持軸３２ｂと同軸上に且つ反ヘッドボックス１０側に支持軸３２ｃが突出している。さらに、閉塞面の外側には、支持軸３２ｃの周囲に環状の突部３２ｄが形成される。
【００２４】
バネ３４は、外歯車３０の複数の支持片３０ｂの外周囲に巻回される。
【００２５】
操作ケース２８は、ヘッドボックス１０の一端部に嵌挿されて固定される固定部３６と、固定部３６に取り付けられるカバー部３８とから構成される。
【００２６】
固定部３６には、回転軸１２が貫通すると共に外歯車３０を支持するための外歯車支持孔３６ａと、外歯車支持孔３６ａの軸心を中心としてブラインドの前後に対称的に少なくとも２箇所設けられ、外歯車支持孔３６ａと平行となった操作ダイヤル３２を支持するための操作ダイヤル支持孔３６ｂ、３６ｃとがそれぞれ形成される。外歯車支持孔３６ａは、大径部３６ｄと小径部３６ｅとを有している。
【００２７】
カバー部３８の固定部３６との対面側には、比較的広い範囲で凹部３８ａが形成されており、凹部３８ａの内側にはさらに、固定部３６の操作ダイヤル支持孔３６ｂ、３６ｃと対向する位置に凹部３８ｂ、３８ｃがそれぞれ形成されている。カバー部３８は、複数の係止部３８ｄ、３８ｅによって固定部３６の被係止部３６ｆ、３６ｇに取り付けられる。
【００２８】
カバー部３８が固定部３６に取り付けられた状態で固定部３６とカバー部３８との間には、隙間が設けられており、この隙間が、操作ケース２８の前後面の開口部２８ａ及び２８ｂをそれぞれ画成する。
【００２９】
操作部１４が操作ケース２８内に収容された状態において、外歯車支持孔３６ａには、外歯車３０の支持片３０ｂ及び本体３０ａの軸方向の一部分が挿通される。支持片３０ｂは、外歯車支持孔３６ａの小径部３６ｅを貫通して、その自由端にある係合爪３０ｄが外歯車支持孔３６ａの周囲に係止可能となることで、外歯車３０は外歯車支持孔３６ａに対して抜け止めされて、固定部３６に対して回転可能に拘束される。
【００３０】
バネ３４は、大径部３６ｄと小径部３６ｅの境界に形成された段部と本体３０ａとの間に介挿される。
【００３１】
また、操作ダイヤル支持孔３６ｂ、３６ｃには、これらのどちらか一方に操作ダイヤル３２の支持軸３２ｂが挿入される。右操作用の操作部１４とする場合、図５に示すように、外歯車支持孔３６ａよりも前側に位置することになる左側の操作ダイヤル支持孔３６ｂに操作ダイヤル３２の支持軸３２ｂが挿入される。同様に、操作ダイヤル３２の支持軸３２ｃが操作ダイヤル支持孔３６ｂに対向するカバー３８の凹部３８ｂに挿入されて、操作ダイヤル３２が操作ケース２８に回転自在に支持される。操作ダイヤル３２は、外歯車３０及び回転軸１２の軸心からオフセットされて、外歯車３０の本体３０ａは、操作ダイヤル３２の内側に配設され、外歯車３０の外歯３０ｃと操作ダイヤル３２の内歯３２ａとが噛み合う。操作ダイヤル３２は、前方にオフセットされているために、操作ダイヤル３２の一部である前部側が操作ケース２８の開口部２８ａから前面に突出して露出する。これにより、操作部１４をヘッドボックス１０の右側端部に配置し、操作ケース２８をヘッドボックス１０の右側端部に設けた状態で、操作ダイヤル３２を前側から操作することができる。
【００３２】
また、バネ３４によって、外歯車３０は、反ヘッドボックス１０側に押圧され、その凸部３０ｅが、操作ダイヤル３２の閉塞面に接触して操作ダイヤル３２を反ヘッドボックス１０側に押圧するので、操作ダイヤル３２の突部３２ｄは、カバー３８に弾接することになる。
【００３３】
以上のように構成されるブラインドにおいては、操作ケース２８の開口部２８ａから露出した操作ダイヤル３２を回転操作すると、操作ダイヤル３２の内歯３２ａの回転に伴い内歯３２ａに外歯３０ｃが噛み合っているので、外歯車３０も操作ダイヤル３２と同方向に回転する。これにより、外歯車３０と一体に回転軸１２が回転し、回転ドラム１６が操作ダイヤル３２と同方向に回転するため、ラダーコード１８の一方が巻取られるとともに他方が巻解かれて、スラット２０が回転する。
【００３４】
一方、操作ダイヤル３２を上記とは反対方向に回転させることにより、外歯車３０、回転軸１２及び回転ドラム１６が上記とは反対方向に回転するため、ラダーコード１８の一方が巻解かれるとともに、他方が巻取られて、スラット２０が上記とは反対方向に回転する。
【００３５】
図６ないし図８は、左操作用に構成された本発明によるブラインドを表している。
【００３６】
すなわち、左操作用の操作部１４とする場合、図８に示すように、外歯車支持孔３６ａよりも前側に位置することになる右側の操作ダイヤル支持孔３６ｃに操作ダイヤル３２の支持軸３２ｂが挿入される。同様に、操作ダイヤル３２の支持軸３２ｃが操作ダイヤル支持孔３６ｃに対向するカバー３８の凹部３８ｃに挿入される。これにより、図６に示すように、操作部１４をヘッドボックス１０の左側端部に配置し、操作ケース２８をヘッドボックス１０の左側端部に設けた状態で、操作ダイヤル３２の一部である前部側が操作ケース２８の開口部２８ｂから前面に突出して露出するので、操作ダイヤル３２を前側から操作することができる。よって、スラット２０を回転操作する方法は、右操作用とした場合と同様である。
【００３７】
このように、操作ダイヤル３２を回転軸１２の軸心よりも操作ケース２８の前後方向にオフセットさせて取り付けるため、操作ダイヤル３２を開口部２８ａ及び２８ｂから大きく露出させることができ、その露出度合いを大きくすることができる。したがって、操作ケース２８の開口部２８ａ及び２８ｂの左右に凹部を設ける必要もなく、操作ケース２８のブラインドの幅方向の寸法を小型に維持しつつ、操作ダイヤル３２の操作を容易にすることができる。よって、ブラインドが設定される開口部の幅が小さい場合にも、好適にブラインドを取り付けることができる。外歯車３０の本体３０ａはほとんど操作ダイヤル３２の内部に収まるので、操作部１４を一層小型に構成することができる。
【００３８】
また、操作部１４は、右操作用としても左操作用としても、外歯車支持孔３６ａを中心とした左右どちらの操作ダイヤル支持孔３６ｂ又は３６ｃ及び凹部３８ｂ又は３８ｃに操作ダイヤル３２を取り付けるかによって、操作ケース２８への取付位置を変更することができるので、共通の部品で兼用することができる。
【００３９】
よって、操作ケース２８及び操作部１４のヘッドボックス１０への取付位置を変更することにより、操作者の好みに応じて、操作部１４の操作位置をブラインドの左右どちらにも変更することができ、操作位置の左右切換にも容易に対応できる。
【００４０】
また、大径の操作ダイヤル３２の内歯３２ａから小径の外歯３０ｃに回転を伝達するようにしたため、両者に回転差が生まれ、少ない操作量でスラット２０を回転操作することができる。
【００４１】
尚、以上の実施形態では、操作ダイヤル３２が常に操作ケース２８の前面から突出して露出するようになっていたが、これに限らず、操作し易い任意の方向から突出して露出させることも可能である。
【符号の説明】
【００４２】
１０  ヘッドボックス
１２  回転軸
１４  操作部
１８  ラダーコード
２０  スラット
２８  操作ケース
３０  外歯車
３２  操作ダイヤル
３２ａ  内歯
【図１】
0005611766.tif 000002
【図２】
0005611766.tif 000003
【図３】
0005611766.tif 000004
【図４】
0005611766.tif 000005
【図５】
0005611766.tif 000006
【図６】
0005611766.tif 000007
【図７】
0005611766.tif 000008
【図８】
0005611766.tif 000009